(57)【要約】【課題】従来の栗収集具は地面に落ちた栗をすくうように拾う器具であるが、立ったままでイガをこじ開けたり挟んで、確実に木の実を収穫できる木の実採取具を提供する。【解決手段】人が立った状態で地面に届く長さの支柱２の上部端部に、グリップ３とレバー５を備えた支柱２の下端部に固定挟み具６を取り付け、その固定挟み具６に向かい合わせるように可動挟み具６Ａを組み合わせるとともに、その可動挟み具６Ａにスプリング１０を介在して、前記したレバー５と可動挟み具６Ａを作動棒１１で連結して成る木の実の採取具１とする。【選択図】図１
0003120258.tif 000002
【実用新案登録請求の範囲】
【請求項１】
人が立った状態で地面に届く長さの支柱の上部端部に、グリップとレバーを備えた支柱の下端部に固定挟み具を取り付け、その固定挟み具に向かい合わせるように可動挟み具を組み合わせるとともに、その可動挟み具にスプリングを介在して、前記したレバーと可動挟み具を作動棒で連結して成る構成を特徴とする木の実採取具。
【請求項２】
上記する挟み具が、内側が凹んだスプーン状である請求項１に記載する木の実採取具。
【請求項３】
上記する作動棒が、ワイヤーで構成される請求項１又は請求項２に記載する木の実採取具。
【考案の詳細な説明】
【技術分野】
【０００１】  本物品は、実ったら落下するイガ付きの栗や飛び出した栗を初め、銀杏やクルミなどの木の実を立ったままの姿勢で効果的に挟んで収穫できる採集具に関する。
【背景技術】
【０００２】  従来、秋になるとイガ付きの栗が落下したり、そのイガから飛び出した栗の実や銀杏など地面に落下する木の実を収穫する際は、イガ付きの栗は鎌や道具を用いて実を取り出し、また銀杏は手袋などして、いずれも腰を屈めて収穫している。【０００３】  さらに、落下した栗の実を、長い棒の先に付けた杓子状の取集具で栗を拾い集める器具の技術がある（例えば、特許文献１参照）
【特許文献１】特開１１−１５５５４３公報（第５〜６頁、図１）
【考案の開示】
【考案が解決しようとする課題】
【０００４】  上記するような方法で落下した木の実を拾い集めているが、まず、イガ付きの栗は手に持った鎌や道具を用いて屈みながら栗の実をイガから掻き出して栗を拾い、飛び出している栗は屈んだ姿勢のまま栗を収穫しなければならないので、慣れた人であっても屈んだ姿勢で作業することは大変な重労働であった。さらに、これらの作業に従事する人も年々高齢化してきているので廃業したりしている。また個人が家庭で食べるていどの少量拾うにも屈んで採取することは大変で作業効率も良いものではなかった。【０００５】  さらに銀杏やクルミなど、特に銀杏などは独特な匂いが強いのでゴム手袋などして行わなければならないうえ、拾う際は同様に腰を屈めて収穫しなければならないため、高齢者はもとより、子供でも大変であった。さらに前記の栗も含めてこれらの落下した木の実を立った姿勢の状態で効率的に収穫できる具体的な器具は提供されていなかった。【０００６】  また、特開１１−１５５５４３公報に開示する技術は、地面に落ちた栗を立ったままで収穫できる器具の技術であるが、この技術は長い柄の先端に変形杓子状の器具を取り付けたものであり、使用する時は立ったまま前記の杓子状の器具を用いて栗をすくうようにして拾い集める器具である。しかし、この器具は単に杓子状部材で栗をすくって拾い上げるので、急いだり傾けたりすると栗が落下してしまうなどの不便や欠点がある。またイガの中の収まっている栗などの場合は、イガを開くのには不向きな形である栗採取器具の技術であり、だれでも容易に使える機能的な器具ではなかった。
【課題を解決するための手段】
【０００７】  本考案は上記のような不便や欠点を解消するために、請求項１においては、人が立った状態で地面に届く長さの支柱の上端部に、グリップとレバーとを備えた支柱の下端部に固定挟み具を取り付け、その固定挟み具に向かい合わせるように可動挟み具を組み合わせるとともに、その可動挟み具にスプリングを介在して、前記したレバーと可動挟み具を作動棒で連結した木の実採取具を形成することで、地面に落ちた木の実を拾う際は、グリップを持ってレバーを握ることで簡単に拾える器具とする。【０００８】  請求項２においては、上記する挟み具の内側が、凹んだスプーン状にすることにより、挟んだ木の実を確実に保持できる採取具とする。【０００９】  請求項３においては、上記する作動棒を、ワイヤーを採用することにより、さらに軽くすることができる採取具とする。
【考案の効果】
【００１０】  本考案による木の実採取具は、一定の長さの支柱上部にグリップとレバーを備え、下部にレバーを握ると開閉する挟み体を設けた採取具を構成しているので、地面に落ちている木の実を拾う際は、屈むことなく立ったままの姿勢で木の実を挟み取って籠や容器の上でレバーを離すと、挟み体が自動的に開いて落下収納できる機能的な木の実採取具であるので、不自然な姿勢で屈むことなく落下した木の実を拾えるため、長時間でも腰に負担を掛けることなく高齢者や子供でも楽しく収穫できる。【００１１】  さらに二枚の挟み具はスプーン状を成しているので、例えば、開いたイガの中に２〜３個収まっている栗を採取する場合は、開いている挟み具をそのままイガの開口部に強く押し込むと、イガはさらに大きく開いたり切り取られて後に、複数個の栗を包み込むようにして採取することができる。加えて、木の枝に上残っている木の実を挟んだまま捻り取ることも可能な木の実採取具として使えるとともに、強い匂いを発生する銀杏や果皮が腐ってつかみにくいクルミなども手袋をしなくて簡単に収穫できる器具である。【００１２】  また、池の中に落ちたゴルフボールを拾い上げたり、穴や狭い隙間に落ちた小物を挟み取れる器具としても使えるので、木の実以外に多用途に使えるとともに、扱いも簡単で高齢者はもとより、女性や子供でも喜んで扱える木の実採取具を広く提供することができるものである。
【考案を実施するための最良の形態】
【００１３】  地面に落下した木の実を効率よく拾える器具とするために、立った姿勢のまま地面に届く長さの支柱の上部にグリップとレバーを設け、その支柱下部に、前記したレバーに連動して、スプーン状の挟み具２枚を向かい合わせた挟み体を開閉して木の実を収穫できる器具とする。
【実施例】
【００１４】  本考案における採取具の実施例を、図１に示す一部省略した側面図と図２に示す挟み体部の拡大斜視図、図３に示すグリップ部の拡大斜視図で説明する。
本考案にける採取具１は、立った人が手に持って地面に届く長さの支柱２の上部にグリップ３設け、その下部に支点軸４で取り付けたレバー５を備えた支柱２の下端部に、スプーン状の固定挟み具６の端部片７を支柱２に固定し、その固定挟み具６の対向側に、支点軸４をもって開閉自在とするスプーン状の端部片７付き可動挟み具６Ａを向かい合わせに組み合わせた挟み体８を形成するとともに、その可動挟み具６Ａの端部片７と、前記した支柱２下部に設けた基部９との間にスプリング１０を介在させた可動挟み具６Ａの端部片７と、前記したレバー５とを金属棒などによる作動棒１１で連結して成る木の実の採取具１を構成する。尚、作動棒１１はワイヤーを採用してもよい。また挟み体８を形成する固定挟み具６と可動挟み具６Ａの先端は垂直か、僅かに外側に開く形であってもよい。【００１５】  本考案は以上のような構成であるので、固定挟み具６と可動挟み具６Ａの二枚で形成される挟み体８は通常は開いているが、使用する際はグリップ３を持ってレバー５を握ると、作動棒１１で連結された可動挟み具６Ａの端部片７が上方に引き上げられることで挟み体８の間隔は狭く閉じられ、レバー５を離すとスプリング１０により元に戻る作用を得て開く。さらに、二枚の固定挟み具６と可動挟み具６Ａはスプーン状であるので、地面に落ちている栗や銀杏、クルミなどを包み込むように確実に挟んで保持できるとともに、レバー５の握り具合で挟み体８の間隔を調節できるので、イガの中の栗を挟み取る場合は、イガの口の大きさに合わせて挟み体８を差し込んで栗を取り出せる器具である。【００１６】  本考案における挟み体８は、一方の可動挟み具６Ａのみ動いて開閉するが、対向側の固定挟み具６も可動する方式でも差し支えない。また、挟み体８はレバー５を握ると閉じるが、反対に開く方式でも差し使えない。さらに、作動棒１１は支柱２の外側に位置するが、パイプ材を支柱とする内部に納めても構わないものであり、いずれも特に限定されるものではない。
【図面の簡単な説明】
【００１７】
【図１】本考案の採取具の実施例を示す一部省略した斜視図である。
【図２】採取具の挟み体部を示す拡大斜視図である。
【図３】採取具のグリップを示す拡大斜視図である。
【符号の説明】
【００１８】  １  採取具
２  支柱
３  グリップ
４  支点軸
５  レバー
６  固定挟み具
６Ａ  可動挟み具
７  端部片
８  挟み体
９  基部
１０  スプリング
１１  作動棒
【図１】
0003120258.tif 000003
【図２】
0003120258.tif 000004
【図３】
0003120258.tif 000005